【事件の表示】
　特願２００８−５２０４４５号「病院用ベッドの圧力制御」拒絶査定不服審判事件〔平成１９年　１月１８日国際公開、ＷＯ２００７／００８８３０、平成２１年　１月　８日国内公表、特表２００９−５００１３１号、請求項の数（１１）〕について、次のとおり審決する。
【結　論】
　原査定を取り消す。
　本願の発明は、特許すべきものとする。
【理　由】
第１　手続の経緯
　本願は、平成１８年７月７日（パリ条約による優先権主張　２００５年７月８日　米国）を国際出願日とする出願であって、平成２５年２月１３日付けで拒絶査定がされ、これに対し、同年６月１８日付けで拒絶査定不服審判の請求がされると同時に特許請求の範囲についての手続補正がされたものである。
　そして、当審において、平成２５年８月２０日付けで審査官により作成された前置報告書について、同年８月２９日付けで審尋を行ったところ、審判請求人は同年１２月３日付けで回答書を提出した。
　
　
第２　平成２５年６月１８日付けの手続補正（以下「本件補正」という。）の適否
１　補正の内容
　本件補正は、特許請求の範囲を
「　【請求項１】
　制御装置と、ユーザ入力を受信するユーザインターフェイスと、人を支持するためのマットレスとを有する圧力調整可能マットレスシステム内の圧力を調整するための方法であって、
　前記マットレスが前記人を支持している時に前記圧力調整可能マットレスの第１圧力を自動的に決定するステップと、
　圧力調整を含む前記ユーザ入力を前記ユーザインターフェイスから前記制御装置が受信したことに応じて、前記第１圧力を、前記第１圧力と異なる第２圧力に調整するステップと、
　前記マットレス上の人の動作および時間の経過を含む事象の発生まで前記第２圧力を維持するステップと、
　前記事象が発生した時に第３圧力を自動的に決定するステップであって、前記第３圧力が底打ち状態によって求められた最適圧力であるステップと、
を備える、方法。
　　【請求項２】
　前記第１圧力が底打ち状態によって求められた最適圧力である、請求項１に記載の方法。
　　【請求項３】
　前記第２圧力が前記第１圧力よりも大きい、請求項１に記載の方法。
　　【請求項４】
　前記第２圧力が前記第１圧力よりも小さい、請求項１に記載の方法。
　　【請求項５】
　前記第３圧力を、前記ユーザ入力を前記ユーザインターフェイスから受信する前記制御装置に応じて前記第３圧力と異なる第４圧力に調整することをさらに備える、請求項１に記載の方法。
　　【請求項６】
　請求項１に記載の方法であって、前記制御装置はメモリーデバイスを有し、前記マットレスは圧力のある第１ゾーン流体室を有し、
　前記メモリー内に前記第１ゾーン流体室の圧力を保存するステップと、
　前記第１ゾーン流体室の保存された圧力の変化に基づいて動きが発生したかどうかを検知するステップと、
　動きが検知された場合に、底打ち状態に基づいて計算された前記第１ゾーン流体室の最適圧力を求め、
　前記最適圧力にオフセットを適用することにより求められた調整圧力に前記第１ゾーン流体室の圧力を調整するステップと
を備える、方法。
　　【請求項７】
　前記第１ゾーンは足ゾーンである、請求項６に記載の方法。
　　【請求項８】
　底打ち指標に基づいた前記第１ゾーン流体室の最適圧力を求めるステップと、
　前記底打ち指標を保存するステップと、
　一定時間の後に前記底打ち指標を再計算するステップと、
　前記底打ち指標と前記再計算した底打ち指標とを比較するステップと
を備える請求項６に記載の方法。
　　【請求項９】
　前記底打ち指標は、高圧力閾値を超える各圧力センサの各出力の合計、支持閾値未満の各圧力センサの合計、高圧力閾値を超える出力を有する各圧力センサの合計、圧力センサに通知された最高出力、各最大出力を通知している各圧力センサの平均値、各圧力センサ出力の標準偏差、各圧力センサ出力の高い側の偏差、および、前記第１ゾーン流体室内の圧力の変化に対する比率としての底打ち指標の各変化、の少なくとも一つを含む請求項８に記載の方法。
　　【請求項１０】
　動きが検知された場合に、前記第１ゾーン流体室で安定性が得られるまで前記第１ゾーン流体室の前記圧力の調整を防いで、前記第１ゾーン流体室において時間とともに変化する圧力を計算することにより前記第１ゾーン流体室が安定しているかを判断するステップをさらに備える請求項６に記載の方法。
　　【請求項１１】
　前記時間とともに変化する圧力が約５秒の期間にわたって約２分の１インチ（約０．０２５ｍ）の水圧よりも少ない場合に安定性が得られる、請求項１０に記載の方法。」
と補正するものである。
　
２　補正の目的及び新規事項の追加の有無  
　本件補正は、補正前の請求項１〜１５、２０〜２３、２５〜２８を削除するとともに、本件補正前の請求項１６〜１９、２４、２９〜３４に記載された、発明を特定するために必要な事項である「ユーザ入力」を、「圧力調整を含む前記ユーザ入力」と限定し、同じく発明を特定するための事項である「圧力調整可能マットレスシステム内の圧力を調整するための方法」が、さらに、「前記マットレス上の人の動作および時間の経過を含む事象の発生まで前記第２圧力を維持するステップ」及び「前記事象が発生した時に第３圧力を自動的に決定するステップであって、前記第３圧力が底打ち状態によって求められた最適圧力であるステップ」を備えるとの限定を加えるものであって、かつ、補正後の請求項１〜１１に記載された発明は、補正前の請求項１〜１５、２０〜２３、２５〜２８に記載された発明と、産業上の利用分野及び解決しようとする課題が同一であるので、本件補正は、平成１８年法律第５５号改正附則第３条第１項によりなお従前の例によるとされる同法による改正前の特許法（以下「改正前特許法」という。）第１７条の２第４項第２号の特許請求の範囲の減縮を目的とするものに該当する。
　そして、本件補正は、新規事項を追加するものではない。
　
３　独立特許要件
　そこで、本件補正後の請求項１ないし請求項１１に記載された発明（以下、それぞれ「補正発明１」、・・・、「補正発明１１」という。）が特許出願の際独立して特許を受けることができるものであるか（改正前特許法第１７条の２第５項において準用する同法第１２６条第５項の規定に違反しないか）について以下に検討する。
３−１　引用例の記載事項
　原査定の拒絶の理由及び審尋に引用され、本願優先権主張日前に頒布された刊行物である特表２０００−５０６７５２号公報（以下「引用例」という。）には、次の事項が図面とともに記載されている。
ａ：「【特許請求の範囲】
  １．　エアベッドであって、該エアベッドは、
フレームと、
フレーム上に支持され複数の個別に加圧可能なゾーンを有するマットレスと、膨張圧コントロールとを含み、膨張圧コントロールは、
　出口を有するエアポンプと、
　ポンプとマットレスの各ゾーンとの間に常閉入口通路を形成して各ゾーンへの空気流を選択的に制御し、かつマットレスの各ゾーンと大気圧との間に常閉出口通路を形成してマットレスの各ゾーンからの空気流を選択的に制御する弁手段とを含み、
　弁手段は少なくとも１つの制御入力を有し、制御入力の制御信号に応答して少なくとも１つの弁通路を選択的に開き、さらに、
　少なくとも１つの制御入力と通信するように接続された出力を有するプログラマブルプロセッサと、
　プロセッサに接続された非揮発性メモリと、
　各ゾーンに１個づつ接続され、各々がプロセッサに接続された出力を有する複数の圧力センサーとを含み、
　プロセッサはマットレス上に存在するユーザの非横臥動作を検出し、少なくとも１つの制御入力へ制御信号を発生して弁を作動させマットレス上に横になっているユーザの横臥動作に応答してゾーン内の圧力を予め設定された横臥圧に維持し、かつユーザの検出された非標準動作に応答してゾーン内の圧力を非横臥圧に制御するようにプログラムされている、エアベッド。
　２．　請求項１記載のエアベッドであって、
　非横臥動作はマットレスの全てではないゾーンに腰掛けている人間であり、プロセッサはセンサーにより測定される圧力を解釈してマットレス上に横になっているユーザによる動作をユーザの非横臥動作から識別するようにプログラムされている、エアベッド。
　３．　請求項１記載のエアベッドであって、
　ベッドは傾斜可能部およびその少なくとも所定の傾斜角への傾斜を知らせる手段を含み、
　プロセッサは信号手段に応答してマットレス上に横になっているユーザによる動作をユーザの非横臥動作から識別するようにプログラムされている、エアベッド。」（第２頁第１行〜第３頁第５行）
　
ｂ：「８．　マルチゾーンエアマットレスのゾーン内の空気圧を個別のユーザにカストマイズされた圧力設定値へ制御する方法であって、該方法は、
　マットレス上にユーザが横になっていない時に、各ゾーン内の圧力を所定の各初期レベルに確立するステップと、
　各ゾーン内の確立された圧力に空気を封止するステップと、
　マットレス上にユーザが横になっている時に、各ゾーン内の圧力を測定してこの圧力測定値をプロセッサに通信するステップと、
　ユーザにとって理想的な各ゾーンに対する圧力設定値を測定圧からプロセッサにより計算するステップと、
　計算された圧力設定値をメモリ内に格納するステップと、
　各ゾーン内の空気圧を計算され格納された圧力設定値に対応するレベルへ自動的に調整するステップと、
　を含む、空気圧制御方法。」（第４頁第６〜１８行）
　
ｃ：「本発明の原理に従って、エアマットレスの複数のゾーンの圧力を制御してベッド上に横になるユーザに有益なもしくはユーザが望むレベルに維持する制御装置を有するエアベッドシステムが提供される。本発明の好ましい実施例に従って、ベッドの多数のゾーンの圧力を保持し、所定の圧力設定値とゾーンの実際の圧力との間の偏差に従って上下に変えるコンピュータ制御装置が提供される。ベッドの各ゾーンへ出入りする空気流を制御する弁を開いて弁の最小サイクリングを与えるべき理想的時間間隔を計算してゾーン圧力が調整される。ゾーンのサイズおよびさまざまなゾーンのさまざまな膨張および収縮レートを考慮して、各ゾーンに別々のタイマーが設けられる。ユーザの快適さや健康のために自動的に維持される圧力設定値を手動調整するための制御装置がユーザに提供される。また制御装置はゾーンを同等に、比例的にあるいは他の関係もしくはアルゴリズムに従って調整することにより、全体的な堅さを制御するようにこのような圧力を調整することができる。ゾーンは制御装置により選択して他とは独立して個別に調整することができる。このように調整された値はユーザの設定値として格納されるが、工場のデフォールトや理想的なユーザ計算に基づく初期値にリセットすることができる。
　本発明のある原理に従って、制御装置にはユーザが自分の理想的なゾーン圧力設定値を計算するために選択することができるプログラムされたルーチンが設けられている。ルーチンはゾーン内の圧力を標準化された圧力に設定してゾーンを封止する方法を補足し、次にユーザがベッド上に横になると、その上のユーザの体重の影響を受けるゾーン内の圧力が自動的に測定され、主成分解析を使用して調整数が計算される。計算された調整数から、各ゾーンが最適支持を維持しながら最低圧を与えるように設定されるユーザの理想的な圧力が決定される。最適支持はユーザの背骨を特別に整列させるか、あるいは不適切に支持される場合に痛みを生じやすい肩や臀部等のある関節上の圧力を低減する基準等の他の基準を達成するものとすることができる。臀部および胸部ゾーン支持圧力は最小二乗回帰解析を使用して計算され、頭部および足部ゾーン支持圧はスプライン近似法を使用して計算される。次に、これらの計算された支持圧はユーザにより手動調整もしくはリセットされるまでコンピュータ制御により自動的に維持される。」（第８頁第１行〜第９頁第１行）
　
ｄ：「ワンドすなわちインターフェイス制御装置４０ｃが使用される場合には、手動調整すべき一つのゾーン２５−２８、もしくは全部のゾーン、を選択することにより各ゾーン２５−２８内の圧力を個別に独立して変える付加能力がユーザへ与えられる。それは１個のボタン７４ａ，７４ｂを押下して行われる。ワンド４０ｃがワンドすなわちユーザインターフェイスポート４１に接続される場合には、マイクロプロセッサがＬＥＤドライバ７５へ信号を送って有効なゾーン選択を示す数を表示し、その数はメモリに格納される。その後、ＰＲＯＣＥＳＳ  ＵＳＥＲ  ＩＮＴＥＲＦＡＣＥルーチンが次にボタンをポーリングすると、ボタン７４ａもしくは７４ｂの押下により生じる次のユーザコマンドは選択された特定のゾーンに対するＯＦＦＳＥＴ値だけ増減分する。前記したように、メインループのＵＰＤＡＴＥ  ＳＯＬＥＮＯＩＤ  ＳＴＡＴＥＳステップの実行時に、選択されたゾーンのこのような手動調整がユーザにより知らされると、選択された手動調整を実施するための各弁３５−３８の適切な設定が行われる。このような調整値はゾーン２５−２８内の圧力が自動制御により維持される時の新しい設定点となる。」（第２０頁第１７行〜第２１頁第３行）
　
ｅ：「前記した機能の他に、一つの横臥状態から次の横臥状態へ変わるユーザを特徴ずける方法で、あるゾーンだけの圧力を局所的に変える状態を検出する論理がプログラム内に設けられる。例えば、ユーザがベッド１１の縁に腰掛けたりベッド内で起き上がるような場合、ユーザの体重は胸部ゾーン２６や臀部ゾーン２７等の１つないし２つのゾーン内に集中する。ユーザのこの動きはセンサー５６および５７の圧力を、少なくともユーザが腰掛けている縁でマットレスが底をつく点まで、実質的に高める効果を有している。このような圧力変化特性はセンサー５５−５８の測定圧を比較し、かつユーザの正常な横臥動作から予期される圧力測定値と予期せぬ動作、特にベッドの縁に腰掛ける等のよく知られた出来事による特定の非横臥動作、により生じる圧力測定値とを識別する基礎を与える値のテーブルと測定値を比較することにより識別される。このようなテストは、ＵＰＤＡＴＥ  ＳＯＬＥＮＯＩＤ  ＳＴＡＴＥＳステップが実施される前に、プログラムメインループ（図５）内のＯＴＨＥＲ  ＭＯＴＩＯＮ  ＦＩＬＴＥＲステップにより実施される。相関する一意的な静圧もしくは動圧を検出することにより、このような他の非横臥動作を検出することができる。
　さらに、横になるユーザに対する理想的な支持圧とは異なる圧力設定値を生じる特殊な圧力コントロールによりユーザの他の行動に対処することができる。例えば、図１のベッド１１のように、可調整頭部および足部１２，１４を有する病院ベッドにマットレス２０が使用される場合には、ベッドの頭部および足部を持ち上げることによりユーザの体重が臀部ゾーン２７に集中し、胸部ゾーン２６にも幾分集中する。このような状態の元で圧力の特別な制御が行われない場合には、ベッド１１の頭部および足部１２，１４を持ち上げた時にマットレスは臀部ゾーン２７内で底をつく。このような制御を行うために、本発明の位置実施例では、センサースイッチ５３，５４はユーザの体重がマットレスの実質的に臀部および胸部２７，２６に、それぞれ、集中する角度と確認される、例えば、２０°もしくは他の角度よりも大きい角度までベッドの頭部１２や足部１４が持ち上げられていることを示す信号を発生する、水銀スイッチ等の、レベル検出器スイッチとされている。このような信号が検出されてベッドの頭部や足部が持ち上げられていることが表示されると、臀部２７および恐らくは胸部２６が弁対３６，３７を閉じることにより封止され、これらのゾーンに関する調整機能が働かなくされる。
あるいは、ゾーン２７を単に封止するのではなく、臀部ゾーン２７と一つ以上の隣接ゾーンを前記した支持すなわちＡＬＩＧＮ圧以外の特別な所定圧もしくは計算した圧力まで膨張もしくは収縮することができる。」（第２５頁第２３行〜第２６頁第２８行）
　
　続いて、図面を参照しつつ上記各記載について検討する。
Ａ：上記摘記事項ｂにおける「プロセッサにより計算」された「理想的な各ゾーンに対する圧力設定値」は、摘記事項ｃの「ユーザの快適さや健康のために自動的に維持される圧力設定値を手動調整するための制御装置がユーザに提供される。」、「これらの計算された支持圧はユーザにより手動調整もしくはリセットされるまでコンピュータ制御により自動的に維持される。」の記載からみて、ユーザにより手動調整されるまで自動的に維持されるものの、その後の手動調整により変更可能なものといえる。
　そして、この「手動調整」に関し、摘記事項ｄの記載を併せみれば、引用例には、“ワンド４０ｃがユーザインターフェイスポート４１に接続される場合には、ボタンを押下して、手動調整すべき一つのゾーンを選択することにより、各ゾーン内の圧力を個別に独立して変える付加能力がユーザへ与えられ、選択されたゾーンのこのような手動調整がユーザにより知らされると、選択された手動調整を実施するための適切な設定が行われ、このような手動調整による調整値はゾーン内の圧力が自動制御により維持される時の新しい設定点となる”事項が記載されているといえる。
　
Ｂ：摘記事項ａの「プロセッサはマットレス上に存在するユーザの非横臥動作を検出し、少なくとも１つの制御入力へ制御信号を発生して弁を作動させマットレス上に横になっているユーザの横臥動作に応答してゾーン内の圧力を予め設定された横臥圧に維持し、かつユーザの検出された非標準動作に応答してゾーン内の圧力を非横臥圧に制御するようにプログラムされている」の記載からみて、引用例には、“プロセッサはマットレス上に存在するユーザの非横臥動作を検出し、検出された非横臥動作に応答してゾーン内の圧力を非横臥圧に制御する”事項が記載されているといえる。
　
　以上における摘記事項ａ〜ｅの各記載及びＡ〜Ｂの検討を総合すれば、引用例には、次の発明（以下「引用発明」という。）が記載されている。
「マルチゾーンエアマットレスのゾーン内の空気圧を個別のユーザにカストマイズされた圧力設定値へ制御する方法であって、該方法は、
　マットレス上にユーザが横になっている時に、各ゾーン内の圧力を測定してこの圧力測定値をプロセッサに通信するステップと、
　ユーザにとって理想的な各ゾーンに対する圧力設定値を測定圧からプロセッサにより計算するステップと、
　計算された圧力設定値をメモリ内に格納するステップと、
　各ゾーン内の空気圧を計算され格納された圧力設定値に対応するレベルへ自動的に調整するステップと、
　を含み、
　前記圧力設定値は、ユーザにより手動調整されるまで自動的に維持され、その後、ワンド４０ｃがユーザインターフェイスポート４１に接続される場合には、ボタンを押下して、手動調整すべき一つのゾーンを選択することにより、各ゾーン内の圧力を個別に独立して変える付加能力がユーザへ与えられ、選択されたゾーンのこのような手動調整がユーザにより知らされると、選択された手動調整を実施するための適切な設定が行われ、このような手動調整による調整値はゾーン内の圧力が自動制御により維持される時の新しい設定点となり、
　プロセッサはマットレス上に存在するユーザの非横臥動作を検出し、検出された非横臥動作に応答してゾーン内の圧力を非横臥圧に制御する、方法」
　
３−２　対比
　補正発明１と引用発明を対比する。
（ア）引用発明の「プロセッサ」は、文言の意味、形状又は機能等からみて補正発明１の「制御装置」に相当し、以下同様に、「ユーザ」は「人」に、「マルチゾーンエアマットレス」及び「マットレス」は「マットレス」に、「ユーザにとって理想的な各ゾーンに対する圧力設定値」は「第１圧力」に、「手動調整による調整値」は「第２圧力」に、「マットレス上に存在するユーザの非横臥動作」は「マットレス上の人の動作」に、「非横臥圧」は「第３圧力」に、それぞれ相当する。
　
（イ）引用発明では、「ワンド４０ｃがユーザインターフェイスポート４１に接続される場合には、ボタンを押下して、手動調整」を行うのであるから、引用発明の「ワンド４０ｃ」及び「ユーザインターフェイスポート４１」は、補正発明１の「ユーザ入力を受信するユーザインターフェイス」に相当する。
　また、引用発明の「マルチゾーンエアマットレス」ないし「マットレス」は、その「上にユーザが横になっている」のであるから、引用発明の「マルチゾーンエアマットレス」ないし「マットレス」がユーザを支持するためのマットレスであることは明らかである。
　そして、引用発明は、「マルチゾーンエアマットレスのゾーン内の空気圧を個別のユーザにカストマイズされた圧力設定値へ制御する」ものであるところ、「プロセッサ」、「ワンド４０ｃ」、「ユーザインターフェイスポート４１」、「マルチゾーンマットレス」等は、全体として一のシステムを成すものである。
　そうすると、引用発明の「方法」は、“制御装置と、ユーザ入力を受信するユーザインターフェイスと、人を支持するためのマットレスとを有する圧力調整可能マットレスシステム内の圧力を調整するための方法”といえ、この点で補正発明１と一致する。
　
（ウ）引用発明では、「マットレス上にユーザが横になっている時に、」「ユーザにとって理想的な各ゾーンに対する圧力設定値を測定圧からプロセッサにより計算」し、「計算された圧力設定値をメモリ内に格納する」のであるから、「ユーザにとって理想的な各ゾーンに対する圧力設定値」は、プロセッサにより自動的に計算され、自動的にメモリ内へと格納されて、「計算され格納された圧力設定値」として決定されるものといえる。
　よって、引用発明は、“マットレスが人を支持している時に圧力調整可能マットレスの第１圧力を自動的に決定するステップ”を備えるものであって、この点で補正発明１と一致する。
　
（エ）引用発明では、「ボタンを押下して、手動調整すべき一つのゾーンを選択することにより、各ゾーン内の圧力を個別に独立して変える付加能力がユーザへ与えられ」るのであるから、ユーザによる「ボタンを押下」は、補正発明１における「圧力調整を含むユーザ入力」に相当する。
　また、引用発明における「手動調整がユーザにより知らされると、選択された手動調整を実施するための適切な設定」を行う主体が、プロセッサであることは明らかである。
　さらに、引用発明の「圧力設定値」は、「ユーザにより手動調整されるまで自動的に維持され、その後、」「各ゾーン内の圧力を個別に独立して変え」られるのであるから、「手動調整による調整値」は、「圧力設定値」と異なる圧力といえる。
　そうすると、引用発明は、“圧力調整を含むユーザ入力をユーザインターフェイスから制御装置が受信したことに応じて、第１圧力を、第１圧力と異なる第２圧力に調整するステップ”を備えるものといえ、この点で補正発明１と一致する。
　
（オ）引用例の図４のフロー図における「“他の”動作フィルタ」ステップの位置付けからみて、引用発明の「ユーザの非横臥動作」の検出は、「手動調整による調整値はゾーン内の圧力が自動制御により維持される時の新しい設定点とな」った後の適宜の時点で行われ得るものといえることから、引用発明の「手動調整による調整値」は、「ユーザの非横臥動作」という事象が発生するまでは、「新しい設定点」として維持されていたものといえる。
　よって、引用発明は、マットレス上の人の動作を含む事象の発生まで前記第２圧力を維持するステップを備えるものといえ、この点で補正発明１と共通する。
　
（カ）引用発明では、「プロセッサはマットレス上に存在するユーザの非横臥動作を検出し、検出された非横臥動作に応答してゾーン内の圧力を非横臥圧に制御する」のであるから、非横臥圧はプロセッサにより、自動的に決定されるものといえる。
　よって、引用発明は、“事象が発生した時に第３圧力を自動的に決定するステップ”を備えるものであり、この点で補正発明１と共通する。
　
　以上の（ア）〜（カ）によれば、補正発明１と引用発明との一致点及び相違点は次のとおりである。
（一致点）
　制御装置と、ユーザ入力を受信するユーザインターフェイスと、人を支持するためのマットレスとを有する圧力調整可能マットレスシステム内の圧力を調整するための方法であって、
　前記マットレスが前記人を支持している時に前記圧力調整可能マットレスの第１圧力を自動的に決定するステップと、
　圧力調整を含む前記ユーザ入力を前記ユーザインターフェイスから前記制御装置が受信したことに応じて、前記第１圧力を、前記第１圧力と異なる第２圧力に調整するステップと、
　前記マットレス上の人の動作を含む事象の発生まで前記第２圧力を維持するステップと、
　前記事象が発生した時に第３圧力を自動的に決定するステップと、
を備える、方法。」
　
（相違点１）
　補正発明１では、「事象」が「マットレス上の人の動作および時間の経過を含む事象」であり、この事象の「発生まで前記第２圧力を維持するステップ」及び「前記事象が発生した時に第３圧力を自動的に決定するステップ」を備えるのに対し、引用発明では、「事象」が「マットレス上の人の動作を含む事象」であるものの、「時間の経過」を含むものではなく、そのため、「時間の経過を含む事象」の発生まで前記第２圧力を維持するステップ及び「時間の経過を含む事象」が発生した時に第３圧力を自動的に決定するステップを備えていない点。
　
（相違点２）
　補正発明１の第３圧力が、「底打ち状態によって求められた最適圧力である」であるのに対し、引用発明の第３圧力は、底打ち状態によって求められた最適圧力であるのか否か不明である点。
　
３−３　判断
（１）補正発明１について
　上記相違点１について検討する。
　引用例において「ユーザの検出された非標準動作に応答してゾーン内の圧力を非横臥圧に制御するようにプログラムされている」（摘記事項ａ）、「これらの計算された支持圧はユーザにより手動調整もしくはリセットされるまでコンピュータ制御により自動的に維持される。」（摘記事項ｃ）、「前記した機能の他に、一つの横臥状態から次の横臥状態へ変わるユーザを特徴ずける方法で、あるゾーンだけの圧力を局所的に変える状態を検出する論理がプログラム内に設けられる。」（摘記事項ｅ）等と記載されるように、引用例には、マットレス内の圧力を調整するための圧力値を、「非標準動作の検出」、「ユーザにより手動調整もしくはリセット」に基づいて変更することは記載されているものの、「非標準動作の検出」も「ユーザにより手動調整もしくはリセット」もなく、単に所定時間が経過したという事象の発生のみをもって、当該圧力値を変更する点については、記載も示唆もない。
　また、審尋において周知例として提示された特開平１１−７６３１７号公報、特開２０００−２７９４５９号公報にも、この点に関する記載はなく、他に、この点が、従来周知の事項であったとする根拠も、単なる設計事項であるとする根拠も見当たらない。
　そうすると、相違点２について検討するまでもなく、補正発明１は、引用発明であるとも、また、引用発明及び周知技術に基づいて当業者が容易に発明することができたものともいえない。
　
（２）補正発明２〜１１について
　補正発明２〜１１は、補正発明１の発明特定事項をすべて含み、さらに、他の発明特定事項を付加したものに相当する発明であるから、補正発明１について示した理由と同様の理由により、引用発明であるとも、引用発明及び周知技術に基づいて当業者が容易に発明をすることができたとものともいえない。
　
３−４　小括
　以上のとおり、補正発明１〜１１は、引用発明であるとも、引用発明及び周知技術に基づいて当業者が容易に発明をすることができたとものともいえない。
　また、他に補正発明１〜１１について、特許出願の際独立して特許を受けることができないとする理由も発見しない。
　よって、本件補正は、改正前特許法第１７条の２第５項において準用する同法第１２６条第５項の規定に適合する。
　
４　むすび
　したがって、本件補正は、改正前特許法第１７条の２第３項ないし第５項の規定に適合する。
　
　
第３　本願発明
　本件補正は上記のとおり、改正前特許法第１７条の２第３項ないし第５項の規定に適合するから、本願の請求項１ないし１１に係る発明は、本件補正により補正された特許請求の範囲の請求項１ないし１１に記載された事項により特定されるとおりのものである。
　そして、本願については、原査定の拒絶理由を検討してもその理由によって拒絶すべきものとすることはできない。
　また、他に本願を拒絶すべき理由を発見しない。
　よって、結論のとおり審決する。